(57)【特許請求の範囲】
【請求項１】
自由状態のインキを収容するインキタンクとして両端が開口するパイプ体を収容してなる筆記具において、前記パイプ体の開口部の一端をペン先に対するインキ吐出口とすると共に、他端をインキタンク内に対する空気取り入れ口とし、この空気取り入れ口に通気路を有する栓部材を外力によって内部方向に移動可能に圧入配置して、固定部材と前記栓部材との当接によって、前記栓部材をインキタンク内部方向に移動させ、前記パイプ体を挟持状態に固定した筆記具。
【請求項２】
前記パイプ体がポリプロピレン樹脂製の成形パイプであり、端部が切断により形成されると共に、前記栓部材がロックウェルＲ硬度においてこのパイプ体よりも硬い材料よりなることを特徴とする請求項１記載の筆記具。
【発明の詳細な説明】
【０００１】
【発明の属する技術分野】
本発明は、インキタンクとしてパイプ体を使用し、前記パイプ体を収容してなる筆記具に関する。
【０００２】
【従来の技術】
従来、インキタンク内に自由状態でインキを収容する筆記具は、所謂生インキ式の筆記具と称され、豊富な瑞々しいインキ吐出と、多量のインキを無駄なく消費できる等の利点を有している。このような生インキ式筆記具においては、特にインキ洩れがないよう考慮される必要がある。
インキを使用する筆記具は、インキタンク内が加圧されているような特別なもの以外は、筆記のために吐出したインキの体積分だけインキタンク内が減圧される。インキタンク内が減圧になるとそこからペン先へのインキの供給に悪影響を与えるので、インキタンク内に空気を取り入れる必要があり、移動栓のようなものでインキ室と空気室とを区画するようなものもあるが、結局は空気をインキタンク部材の中に取り入れる点では同様であり、インキを使用する筆記具のほとんどがこの構造を採用している。上述のような生インキ式筆記具も然りであるため、インキタンクにおいて一端がインキを吐出し、他端が空気を取り入れる機能を果たすことができる両端を開放するパイプ体は極めて簡易な形状で十分な効果を果たす形態をなしている。
【０００３】
【発明が解決しようとする課題】
しかしながら、一般的な合成樹脂製の押し出し成形物や金属製のパイプ体は、一本の長いパイプを必要長さ毎に切断することによって得られる。このため、金型による射出成形品のように全長寸法を全てにおいて同一とすることは困難である。パイプ体の全長のバラツキは、パイプ体の収容位置のバラツキにつながる。短いとパイプ体後端と固定部材とに空間が生じ、筆記具を落下させた場合などの衝撃によってパイプ体が後方に移動することがあり、液密形成部材との当接が不完全となり、インキが洩れる危険がある。長いと、パイプ体が収容位置からはみ出し、筆記具内に収容不能となったり、あるいは強引な収容により過剰な当接力がパイプ体に働き、変形、破損を生じさせるという問題があった。
【０００４】
【課題を解決するための手段】
即ち、本発明は、自由状態のインキを収容するインキタンクとして両端が開口するパイプ体を収容してなる筆記具において、前記パイプ体の開口部の一端をペン先に対するインキ吐出口とすると共に、他端をインキタンク内に対する空気取り入れ口とし、この空気取り入れ口に通気路を有する栓部材を外力によって内部方向に移動可能に圧入配置して、固定部材と前記栓部材との当接によって、前記栓部材をインキタンク内部方向に移動させ、前記パイプ体を挟持状態に固定した筆記具を要旨とする。
【０００５】
【作用】
パイプ体の全長を短めに設定し、パイプ体が設置位置よりはみ出すことはなくなる。そして、パイプ体とこれに圧入配置された栓部材との全長を設置範囲より大き目に設定する。これによって、栓部材が取り付けられたパイプ体を筆記具に収容する際、パイプ体の空気取り入れ口に圧入配置してなる栓部材が固定部材と当接して、前記栓部材をインキタンク内部方向に移動させる。栓部材がインキタンク内部方向に移動することによりパイプ体の全長のバラツキを吸収する。このため、栓部材と固定部材間における空間の発生防止、パイプ体の未収容及びパイプ体への過剰な当接力を防止することができる。
【０００６】
【実施例】
以下、図面に基づき一例について説明する。
図１に示したものは、筆記部材としてのボール１とこのボール１を先端より一部突出して抱持するボールホルダー２とからなるチップ３を、内部にインキ４を自由状態で収容するパイプ体５の先端に接続した、所謂ボールペンの一例である。
チップ３とパイプ体５とは、共にチップホルダー６に液密に接続されてボールペンリフィルを構成している。また、このボールペンリフィルは、側壁に空気孔７を有するアクリロニトリルスチレン樹脂の射出成形品である軸筒８内に収容され、軸筒８の先端に螺合された先金９の先端孔よりチップ先端を突出している。
【０００７】
インキ４を収容するパイプ体５は、その内部に、インキ４の他にインキ界面の移動に追従する移動栓としてαオレフィンやポリブテンなどのゲル化物である高粘度流体１０を収容している。また、このパイプ体５は、ポリプロピレン樹脂の押し出し成形品であり、両端を切断してある。この時、パイプ体５の全長を短めに切断し、パイプ体５が収容位置よりはみ出すことをなくしている。パイプ体５の切断された一端の前方に位置することになる開口部は、ボールペンチップ３内に対してインキ４を吐出する口となり、他方の後端側に位置することとなる開口部はパイプ体５内に空気を取り込む口となる。この後端開口部に栓部材１１が圧入されている。
【０００８】
この栓部材１１は、パイプ体５内の高粘度流体１０より後方の空間を密閉しないための通気孔１２を有する円筒状の成形品である。そして、その後端は、パイプ体５の後端より突出し、軸筒８の後端に取り付けられた尾栓１３の内孔に形成された段部１４と当接している。そして、この栓部材１１の通気孔１２を尾栓１３の内壁で密閉しないようにするため、尾栓１３の段部１４には、切欠孔１５が配置されており、栓部材１１の通気孔１２と軸筒８の空気孔７とを連通し、インキ吐出に伴う空気の取り入れを行い得るようになしている。
【０００９】
また、ボールペンリフィルの前部に位置する前記チップホルダー６は、前記先金９の内壁に当接するようになされており、ボールペンリフィル全体としては先金９と尾栓１３により挟持される形となる。ここで、チップホルダー６の先金９に対する当接部からパイプ体５を介して栓部材１１の尾栓１３に対する当接部に至る長さを、それぞれの当接部である先金９から尾栓１３までの収容位置範囲より大き目に設定している。即ち、栓部材１１が取り付けられたパイプ体５を筆記具に収容する際、栓部材１１が、前記尾栓１３内側壁の段部１４と常に当接する位置関係を有する。よって、挟持されるにあたって、栓部材１１が押され、パイプ体５内方向に移動し適正な長さに収まることになる。よって、両端を切断された段階でのパイプ体５に全長のバラツキがあったとしても、ボールペンリフィルとした前記栓部材１１を取り付けたものでは、圧入されている栓部材１１が、尾栓１３の段部１４に押されてパイプ体５の内部方向に移動することができ、ボールペンリフィルの全長のバラツキを抑制することができるものである。
【００１０】
図２に他の一例を示す。基本的には図１に示した一例と同様で、ボールペンの一例である。但し、尾栓１３に、栓部材１１の通気孔１２と軸筒８の空気孔７とを連通する切欠孔１５を形成せずに、栓部材１１の側壁に放射状に突出する複数の突起１６を形成し、尾栓１３の段部１４と当接させ、突起１６が配置されていない側壁と尾栓内壁の段部１４との間に形成される隙間を栓部材１１の通気孔１２と軸筒８の空気孔７と連通する空気の通り道としている。また、この突起１６は、栓部材１１全体がパイプ体５内部方向に入り込むのを防止するストッパーの役割をもなしており、パイプ体５収容以前の組立時の落下によって栓部材１１全体がパイプ体５内部方向に入り込み、手直しが効かなくなるというような不具合を防止することができる。その他、ボールペンリフィルの全長のバラツキを抑制することができる点は、前述の一例と同様である。
【００１１】
図３に更に他の一例を示す。自由状態に収容されるインキ４を所定範囲に摺動可能な繊維収束体製のペン芯１７の摺動に伴って弁機構を開放、閉塞してペン芯１７へのインキ導出制御をなす、所謂ペン先ノック式の生インキ弁式筆記具の一例である。
ペン芯１７を収容するペン芯ホルダー１８の後端には凹凸嵌合によって有底筒体である後軸１９が固定され、その底部２０をパイプ体５の収容位置を規定する部位としている。この後軸１９は、アクリロニトリルスチレン樹脂の射出成形品である。また、後軸１９の内部には、インキ４を自由状態で収容するインキタンクとしてポリプロピレン樹脂を押し出し成形後、両端をパイプ体の全長を短めに切断して得られたパイプ体５が収容されている。
パイプ体５内には、インキ４及びインキ界面の移動に追従するα−オレフィンやポリブテンなどからなる高粘度流体１０とこの高粘度流体１０をパイプ体５の内壁との間に介在させて配置される浮栓２１が収容されている。
【００１２】
ペン芯ホルダー１８の内孔の後部には、弾性材料よりなる弁部材２２が配置されている。この弁部材２２は、スリット状のインキ通路２３を有しており、このインキ通路２３は、外力が付与されない状態では液密に閉塞して、インキタンクからペン芯１７へのインキの導出を遮断し、前後に摺動可能なペン芯１７の後端が押し当てられることによりスリット状インキ通路２３を開放する。また、この弾性材料よりなる弁部材２２は、前記パイプ体５の内孔と当接し、液密を形成するシール部材ともなっており、材質としては、シリコンゴム、エチレンプロピレンゴム、スチレンブタジエンゴム、ブタジエンゴム、ニトリルゴム、ウレタンゴム、ブチルゴム等が例示できる。
【００１３】
図３のＩ部拡大図である図４に示すように、パイプ体５の後端開口部には、栓部材１１が後方に突出して圧入されている。この栓部材１１は、外周部をパイプ体５内壁と圧接する大径部２４と、パイプ体５の後端より突出される部分となる小径部２５とからなっており、パイプ体５の浮栓２１より後方の空間を密閉しないための通気孔１２を貫通している。また、大径部２４と小径部２５との間に形成される段部２６をパイプ体５後端と同一面とすることにより、後軸を取り付ける前の段階で、大径部２４をパイプ体５に対して位置決めすることができる。
更に、通気孔１２の後端開口部分には、切欠孔２７が形成されていて、栓部材１１の後端が後軸１９の底部２０と当接した時にも後軸１９の空気孔７を介して外気と連通している。
【００１４】
後軸１９を取り付ける前の状態で、パイプ体５とこれに圧入配置された栓部材１１との全長は、弁部材２２から後軸１９の底部２０に至る収容位置範囲より大き目に設定されている。これによって、ペン芯１７及び弁部材２２が収容され、栓部材１１が取り付けられたパイプ体５を接続したペン芯ホルダー１８に後軸１９を取り付ける際、パイプ体５の空気取り入れ口に圧入配置してなる栓部材１１が、前記後軸１９の底部２０と常に当接する位置関係を形成する。よって、上述の例と同様に、パイプ体５の全長のバラツキがあったとしても、パイプ体５に圧入された栓部材１１が、パイプ体５の内部方向に移動できるため、寸法ばらつきを吸収することができる
【００１５】
ここで、栓部材１１は、ロックウェルＲ硬度でパイプ体５の９８度よりも硬い１０２度以上のポリメチルメタクリレートにより形成してある。これは、栓部材１１のパイプ体５への圧入時、パイプ体５が拡径変形し、栓部材１１の圧入移動を円滑になすためであるが、同等程度の硬さを有するものであっても良いし、栓部材１１をパイプ体５よりも軟らかい部材とすることもできる。
【００１６】
【発明の効果】
以上により、本発明の筆記具は、パイプ体の収容位置のバラツキを極力抑制し、インキ洩れや収容不能、変形、破損等の問題を防止するものである。
【図面の簡単な説明】
【図１】一例を示す要部縦断面図。
【図２】変形例を示す要部縦断面図。
【図３】他の一例を示す要部縦断面図。
【図４】図３のＩ部拡大図。
【符号の説明】
１  ボール
２  ボールホルダー
３  チップ
４  インキ
５  パイプ体
６  チップホルダー
７  空気孔
８  軸筒
９  先金
１０  高粘度流体
１１  栓部材
１２  通気孔
１３  尾栓
１４  段部
１５  切欠孔
１６  突起
１７  ペン芯
１８  ペン芯ホルダー
１９  後軸
２０  底部
２１  浮栓
２２  弁部材
２３  インキ通路
２４  大径部
２５  小径部
２６  段部
２７  切欠孔
【図１】
0004010075.tif 000002
【図２】
0004010075.tif 000003
【図３】
0004010075.tif 000004
【図４】
0004010075.tif 000005